(57)【要約】【課題】  好ましくは接着複合体材料を製造するための手段を指定し、それによって、従来技術に対して、複合体材料の機能的特性を損なうことなく、具体的な装置ベースの製造要件を低減する。【解決手段】  本発明は、実質的な平面材料の組合せ（３）の作製及び／又は塗布を行うための装置に関し、前記組合せは、少なくとも二つの面領域（１、２）から形成され、所定の組合せ幅（４）、組合せ高さ（５）、及び／又は組合せ長さ（６）を備えている。前記装置は、進行方向（ｙ）を画定し、搬送面（１１）を備えている搬送ユニット（９）を含んでいる。更に、前記装置は、塗布ノズル（８）を含む塗布ユニット（７）を備え、前記塗布ノズルは、塗布方向（ｙ）に対して実質的に横方向に延びるスリット状出口（２４）を備え、第一押出材料（２１）から構成されている第一面領域（１）と、第二押出材料（２１’）から構成されている第二面領域（２）を、搬送面（１１）上に押出し可能である。塗布ノズル（８）は、搬送面（１１）上に押出材料（２１、２１’）を供給するための少なくとも一つの供給ユニット（２２、２２’）を含んでいる。供給ユニット（２２）は、少なくとも一つの押出材料（２１、２１’）の供給体積、供給質量、供給速度、及び／又は供給時間を制御できる。【選択図】  図３
2014510655.tif 000002
【特許請求の範囲】
【請求項１】
所定の複合体幅（４）、所定の複合体高さ（５）及び／又は所定の複合体長さ（６）の少なくとも二つの面領域（１、２）から構成されている基本的に二次元の複合体（３）の作製及び／又は塗布を行うための装置であって、前記装置が、搬送範囲（１１）を備え、搬送方向（ｙ）を画定する搬送ユニット（９）と、塗布ダイス（８）を備えている塗布ユニット（７）を含み、前記塗布ダイスが、塗布方向（ｙ）に対して基本的に横方向に配置されているスロット状出口（２４）を含み、前記塗布ダイスを用いて、第一押出材料（２１）を含む第一面領域（１）と、第二押出材料（２１’）を含む第二面領域（２）を、搬送範囲（１１）上に押出し可能であり、塗布ダイス（８）が、搬送範囲（１１）上に、押出材料（２１、２１’）を供給するための少なくとも一つの供給ユニット（２２、２２’）を含み、少なくとも一つの押出材料（２１、２１’）の供給体積、供給質量、供給速度及び／又は計測時間が、供給ユニット（２２）を用いて制御可能であることを特徴とする装置。
【請求項２】
供給ユニット（２２、２２’）が、押出材料（２１、２１’）を供給するための少なくとも一つのポンプ（２９）を含んでいることを特徴とする、請求項１に記載の装置。
【請求項３】
供給ユニット（２２）が、好ましくはバルブ（３０Ａ）を含む少なくとも一つのスイッチ素子（３０）及び／又は帰還ライン（３０Ｂ）を含み、供給ユニット（２２）によって、供給される押出材料（２１、２１’）が、塗布ユニット（７）内、又は少なくとも一つの供給ユニット（２２）内を循環可能であることを特徴とする、請求項１又は２に記載の装置。
【請求項４】
複合体幅（４）及び／又は複合体長さ（６）及び／又は複合体高さ（５）が、塗布ダイス（８）の供給ユニット（２２）を用いて、少なくとも部分的に調整可能であることを特徴とする、請求項１〜３のいずれかに記載の装置。
【請求項５】
複合体（３）の各々の及び全ての面領域（１、２）が、面領域幅（１５）、面領域長さ（１６）及び面領域高さ（１７、１７’）を備え、一つ以上の面領域（１、２）の面領域幅（１５）、面領域長さ（１６）及び／又は面領域高さ（１７、１７’）が、特に少なくとも一つの供給ユニット（２２）によって、複合体（３）の共押出し中に、少なくとも部分的に変更可能であることを特徴とする、請求項１〜４のいずれかに記載の装置。
【請求項６】
請求項１〜５のいずれかに記載の装置の特に塗布ユニット（７）用の、複合体（３）の二次元塗布の生成及び／又は塗布を行うための共押出ダイスであって、複合体（３）が、第一及び少なくとも第二押出材料（２１、２１’）を含む共押出材料（１４）から構成され、第一押出材料（２１）から構成されている第一面領域（１）と、少なくとも第二押出材料（２１’）から構成されている第二面領域（２）を含み、共押出ダイス（８）が、第一押出材料（２１）用の第一入口（２０）と、第二押出材料（２１’）用の第二入口（２０’）と、スロット状の開口部を含む出口（２４）を備え、前記出口が、複合体（３）の複合体幅（４）を決定し、共押出材料（１４）を対象とし、少なくとも一つの一体型の供給ユニット（２２）によって特徴付けられ、前記供給ユニットが、一つ以上の入口（２０、２０’）と流体的に連絡し、前記供給ユニットを用いて、少なくとも一つの押出材料（２１、２１’）が、共押出ダイス（８）を介して出口（２４）に供給可能であり、前記供給ユニットを用いて、少なくとも一つの押出材料（２１、２１’）の供給体積、供給質量、供給速度及び／又は計測時間が制御可能である共押出ダイス。
【請求項７】
少なくとも一つの供給ユニット（２２）が、少なくとも一つのポンプ（２９）と、バルブ（３０Ａ）を含む少なくとも一つのスイッチ素子（３０）と、ポンプ（２９）を迂回する少なくとも一つの流体的な、好ましくは切替え可能な帰還ライン（３０Ｂ）を含んでいることを特徴とする、請求項６に記載の共押出ダイス（８）。
【請求項８】
手段（１９Ａ〜Ｆ、２２）によって特徴付けられ、前記手段を用いて、複合体材料（３）の塗布が、縦方向及び横方向で部分的に実行され、塗布材料の部分（３７）が、帯状の遮断部（２６）を備えるようにする、請求項６又は７に記載の共押出ダイス（８）。
【請求項９】
第一及び第二入口（２０、２０’）が開口し、出口（２４）が接続されている共押出チャネル（１８）によって特徴付けられる、請求項６〜８のいずれかに記載の共押出ダイス（８）。
【請求項１０】
出口（２４）の幅及び／又は複合体（３）の複合体幅（４）及び／又は複合体（３）の少なくとも一つの部分（３７）が、変更可能であることを特徴とする、請求項９に記載の共押出ダイス。
【請求項１１】
第二入口（２０’）が、共押出チャネル（１８）内に開口し、第二押出材料（２１’）が、第一押出材料（２１）によって構成される押出面（３５）に配置可能であることを特徴とする、請求項９又は１０に記載の共押出ダイス（８）。
【請求項１２】
共押出チャネル（１８）が、複数の共押出チャンバ（１９Ａ、１９Ｂ、…、１９Ａ’、１９Ｂ’、…）を含んでいることを特徴とする、請求項９〜１１のいずれかに記載の共押出ダイス（８）。
【請求項１３】
共押出チャネル（１８）の各々の及び全ての共押出チャンバ（１９Ａ、１９Ｂ、…、１９Ａ’、１９Ｂ’、…）が、各々場合に、少なくとも一つの供給ユニット（２２、２２’）と流体的に連絡していることを特徴とする、請求項１２に記載の共押出ダイス（８）。
【請求項１４】
第一及び第二面領域（１、２）が各々、塗布範囲と平行な面を画定する面領域幅（１５）と面領域長さ（１６）を備え、第一及び第二面領域（１、２）が各々、塗布範囲に対して基本的に垂直に延びる面領域高さ（１７、１７’）を備え、供給ユニット（２２、２２’）の各々の及び全てのものが、制御ユニット（３３）に割り当てられ、供給ユニット（２２、２２’）の各々の及び全てのものが、別個に好ましくは相互に独立して制御可能であり、特に開閉ループ制御可能であり、それによって、塗布材料（３）の一つ以上の面領域（１、２）の面領域幅（１５）、面領域長さ（１６）及び／又は面領域高さ（１７、１７’）が、少なくとも部分的に変更可能であることを特徴とする、請求項１３に記載の共押出ダイス（８）。
【請求項１５】
複合体（３）の複合体幅（４）が、出口（２４）の幅に対して、端部側に配置された一つ以上の共押出チャンバ（１９Ａ、１９Ｂ、…、１９Ａ’、１９Ｂ’、…）に流体的に割り当てられている一つ以上の供給ユニット（２２、２２’）の接続及び／又は切断を行うことによって変更可能であり、複合体（３）又は面領域（１、２）の複合体長さ（６）が、全ての供給ユニット（２２）の接続及び／又は切断を行うことによって変更可能であることを特徴とする、請求項１４に記載の共押出ダイス。
【請求項１６】
第一入口（２０）及び／又は第二入口（２０’）が、好ましくは電気的加熱装置（３４）に割り当てられ、押出材料（２１、２１’）が、加熱可能、特に液化可能である、及び／又は液体を維持することを特徴とする、請求項６〜１５のいずれかに記載の共押出ダイス（８）。
【請求項１７】
少なくとも一つの圧力センサによって特徴付けられ、前記圧力センサを用いて、少なくとも一つの押出材料（２１、２１’）の圧力が測定可能である、請求項６〜１６のいずれかに記載の共押出ダイス（８）。
【請求項１８】
搬送ユニット（９）の可動搬送範囲（１１）上への二次元複合体（３）の塗布及び／又は作製を行うための処理であって、前記処理が、第一面領域（１）と少なくとも第二面領域（２）を含む塗布材料から、複合体（３）の形成を行うことを含み、複合体（３）が、複合体幅（４）、複合体長さ（５）及び複合体高さ（６）を備え、複合体（３）が、第一面領域（１）を構成する第一押出材料（２１）と、第二面領域（２）を構成する少なくとも一つの第二押出材料（２１’）から、請求項１〜５のいずれかに記載の装置によって特に共押出しされ、前記装置が好ましくは、請求項６〜１７のいずれかに記載の共押出ダイス（８）を含み、複合体（３）の面領域（１、２）の各々の及び全てのものが、面領域長さ（１６）、面領域幅（１５）及び面領域高さ（１７、１７’）を備え、第一及び／又は第二面領域（１、２）の面領域幅（１５）及び／又は面領域長さ（１６）及び／又は面領域高さ（１７、１７’）、及び／又は複合体（３）の複合体幅（４）、及び／又は複合体長さ（６）及び／又は複合体高さ（５）が、第一及び／又は第二押出材料（２１、２１’）の送出質量及び／又は単位時間当たりの送出質量、及び／又は送出体積及び／又は単位時間当たりの送出体積を、少なくとも部分的に及び／又は少なくとも一時的に変更することによって、共押出し中に変更することを特徴とする処理。
【請求項１９】
請求項１８の導入部に記載の処理であって、複合体（３）が、第一面領域（１）を構成する第一押出材料（２１）と、第二面領域（２）を構成する少なくとも一つの第二押出材料（２１’）から押し出され、第二押出材料（２１’）が、共押出チャネル（１８）内に供給される第一押出材料（２１）の押出面（３５）に対して、共押出チャネル（１８）を備えている共押出ダイス（８）内で、特に請求項１〜５のいずれかに記載の装置に従って供給され、前記装置が好ましくは、請求項９〜１７のいずれかに記載の共押出ダイス（８）を含み、それによって、第二押出材料（２１’）が、共押出ダイス（８）の共押出チャネル（１８）内で、第一押出材料（２１）の共押出面（３５）上に付着するように配置されることを特徴とする処理。
【請求項２０】
面領域（１、２）の一方の面領域幅（１５）及び／又は面領域長さ（１６）及び／又は面領域高さ（１７、１７’）を変更し、同時に、少なくとも一つの他の面領域（２、１）の面領域幅（１５）、面領域長さ（１６）及び面領域高さ（１７、１７’）を少なくとも部分的に及び／又は少なくとも一時的に保持することを特徴とする、請求項１８又は１９に記載の処理。
【請求項２１】
少なくとも一つの押出材料（２１、２１’）の供給が、一時的遮断を伴って実行されることを特徴とする、請求項１８〜２０のいずれかに記載の処理。
【請求項２２】
第二押出材料（２１’）の供給に対する一時的遮断が、第一押出材料（２１）の供給に対する遮断と一時的に一致していることを特徴とする、請求項２１に記載の処理。
【請求項２３】
搬送ユニット（９）及び／又は搬送範囲（１１）が、少なくとも部分的に冷却されていることを特徴とする、請求項１８〜２２のいずれかに記載の処理。
【請求項２４】
請求項１〜５のいずれかに記載の装置を用いて、又は請求項１８〜２３のいずれかに記載の処理を用いて特に得られ、及び第一面領域（１）と、第一面領域（１）上に配置された少なくとも一つの第二面領域（２）から構成されている二次元複合体であって、請求項６〜１７のいずれかに記載の共押出ダイス（８）を好ましくは用いて、第一面領域（１）が、第一押出材料（２１）から構成され、第二面領域（２）が、第二押出材料（２１’）から構成され、第二面領域（２）が、機能領域、特に接着領域を含み、第一面領域（１）が、効果領域として構成され、効果領域が、接着性、体積充填、音響減衰及び／又は機械的減衰性、難燃性又は遮蔽性を備えていることを特徴とする複合体。
【請求項２５】
効果領域が、機能領域の特性、特に機能領域の接着性を増大させることを特徴とする、請求項２４に記載の複合体（３）。
【請求項２６】
第一及び第二面領域（１、２）が各々、面領域幅（１５）、面領域長さ（１６）及び面領域高さ（１７、１７’）によって画定され、第一及び／又は第二面領域（１、２）の面領域幅（１５）及び／又は面領域長さ（１６）及び／又は面領域高さ（１７、１７’）が、複合体（３）の複合体長さ（６）及び／又は複合体幅（４）及び／又は複合体高さ（５）にわたって少なくとも部分的に変化していることを特徴とする、請求項２４又は２５に記載の複合体（３）。
【請求項２７】
第一及び第二面領域（１、２）が、異なる材料、特に異なる接着剤から構成され、第一及び／又は第二面領域（１、２）が、好ましくは化学的に又は放射線架橋可能、再活性化可能、永続的粘着性及び／又は水溶性のホットメルト接着剤から構成されていることを特徴とする、請求項２４〜２６のいずれかに記載の複合体（３）。
【発明の詳細な説明】
【技術分野】
【０００１】
本発明は、請求項１の導入部で分類されているように、所定の複合体幅、所定の複合体高さ、及び／又は所定の複合体長さの少なくとも二つの面領域から構成されている基本的に二次元の複合体の作製及び／又は塗布を行うための装置に関する。従って、前記装置は、塗布ダイスを含む塗布ユニットを備えている。塗布ダイスは、塗布方向に対して基本的に横方向に配置されているスロット状出口を含み、それによって、塗布ダイスは、塗布幅を許容するワイドスロットダイスとして構成され、前記塗布幅は、塗布キャリパ／厚さ又は高さより明らかに大きい。更に、前記装置は、搬送範囲を含む搬送ユニットを備えている。塗布は、搬送範囲上で可能であり、塗布材料は、塗布装置によって搬送される。搬送ユニットは、前記装置内の搬送方向を画定し、搬送範囲／作製される複合体は、前記搬送方向内で搬送可能である。搬送ユニットは、可動基板又は可動キャリアによって構成することもでき、そこに、複合体の面領域を塗布できる。この種の基板は、剥離ライナ部であってもよい。代替的に、複合体は、基板／剥離ライナ部を含んでいてもよい。
【背景技術】
【０００２】
従来、押出処理によって、二次元複合体を作製する装置が存在していた。この種の装置は、異なる材料、例えば異なる高分子の二つ以上の層を選択的に重ね合わせる押出ダイスを含んでいる。前記材料は、一つ以上の（スクリュー）押出器によって押出ダイス内に供給され、ワイドスロットダイス等の、ダイスの中央部に主に供給される。多層複合体の所定の積層又は多層構造の形成には、ダイスの内部構成が複数のダイス部品を含む場合に一般に実現される分布を、押し出される部品（つまり、押出材料）が備えている必要があり、その場合、作製及び洗浄にコストがかかり不便なことがある。異なる粘度でダイス内に流れる押出材料の流動性に影響を与える手段として、ダイスからの押出材料の排出に影響を与えられるように、ダイス内に一つ以上の遮蔽部を配置することが、確立された手法となっている。この種のダイスは、上着掛けの輪郭と類似の輪郭を好ましくは備えている。この種の遮蔽部は、ダイス内の押出材料の横方向の分布を制御するために代替的に役に立つ。
【０００３】
押出ダイスから排出する押出材料の非常に均一な塗布を確保するために、排出口の寸法は、引張り及び圧縮ボルトによって一般に一致させる。更に、排出口の領域に配置されるピンは、意図的に加熱又は冷却し、層の要件に対して押出材料の流動特性を一致させる。
【０００４】
この種の押出ダイスを介して、複数の面領域又は層を備えている複合体材料を生成するための製造処理に伴う問題は、複合体材料のパラメータの変更、例えば別個の領域又は層の寸法の変更を行うために、製造装置／押出ダイスの改造又は完全な交換が常に必要なことである。
【発明の概要】
【発明が解決しようとする課題】
【０００５】
このような背景において、本発明は、好ましくは接着複合体材料を製造するための手段を指定し、それによって、従来技術に対して、複合体材料の機能的特性を損なうことなく、具体的な装置ベースの製造要件を低減することを目的とする。
【課題を解決するための手段】
【０００６】
この目的は、請求項１に記載されている装置によって実現される。それによると、塗布ダイスは、搬送範囲上に押出材料を供給するための少なくとも一つの供給ユニットを含んでいる。少なくとも一つの押出材料の供給体積、供給質量、供給速度及び／又は計測時間は、供給ユニットを用いて制御可能である。可能な代替案は、二重開口ダイスであり、そこでは、ダイススロットは、二つの相互に逆向きのスロット区画を含んでいる。塗布ダイスのダイススロット長さは、複合体の最大複合体幅を実質的に決定する。塗布ユニット、特に塗布ダイスから排出する複合体は、搬送ユニットに塗布することもできる。複合体は、搬送ユニットの搬送範囲に塗布することもできる。
【０００７】
塗布範囲は、搬送方向に調整可能である。それは、塗布ユニットから排出する複合体を、基板に塗布するのに有利であり、前記基板は、特に搬送ユニットによって搬送方向に搬送可能である。基板は、このために、搬送ユニットの搬送範囲上に配置可能である。しかし、搬送ユニットは、基板から構成してもよく、前記基板を含んでいてもよい。基板は、複数の基板部分を含み、例えば、前記基板又は前記基板部分は、薄膜材料、繊維材料又は壁紙から形成してもよい。基板は、ロール又はローラ上に配置することもでき、そこから解き放つこともできる。代替的に、基板は、支持面から積層不可能なよう構成し、特に切断できる。
【０００８】
供給ユニットは、押出材料を供給するための少なくとも一つのポンプを含んでいてもよい。一つ以上のポンプは、少なくとも一つの駆動部に割り当ててもよい。供給ユニットは、少なくとも一つのスイッチ素子を含むことが特に好ましい。スイッチ素子は、少なくとも一つのバルブ及び／又は少なくとも一つの帰還ラインを含み、供給ユニットによって供給される押出材料を循環可能にし／塗布ユニット内又は供給ユニット内で循環可能にする。
【０００９】
複合体内の面領域は、互いに並列に配置することも、互いの上に配置することもできる。面領域が互いの上に配置される場合、複合体は、少なくとも部分的に層型の構成を備え、つまり、面領域は、基本的に平行なシート状の寸法を備え、互いに向かい合って接触している。
【００１０】
複合体の面領域の少なくとも一つは、接着剤、特にホットメルト接着剤から構成できる。好ましくは、感圧接着剤（ＰＳＡｓ）であり、選択的にエラストマを基材としてもよい。接着剤の層は、エチレン・ビニル・アセテート（ＥＶＡ）を含み、無溶媒であってもよい。しかし、接着剤は、溶媒、例えば水によって活性化可能であってもよい。例えばＵＶアクリレート等の放射硬化型接着剤、更に、ポリウレタン（Polyurethane Reactive（ＰＵＲ））又はポリオレフィン（Polyolefin Reactive（ＰＯＲ））等の湿気架橋型接着剤を含む同様の面領域であってもよい。
【００１１】
この種の二次元複合体材料は、少なくとも一つ以上の接着面領域、又は接着層を備え、付着膜内で、又は例えば包装部材要素として使用できる。
【００１２】
塗布ユニットは、必要であれば、加熱可能であってもよく、それによって、熱液状化可能な押出材料は、流動性を変化させる。選択的に、搬送ユニットは、搬送ベルトを含んでいてもよく、その面は搬送範囲を構成する。この搬送ベルトは、無端であってもよい。代替的に、例えば、搬送ユニットが、搬送ローラを含む場合は、搬送範囲は、湾曲していてもよい。材料の塗布は、例えば、搬送範囲上で直接行うことができる。この場合、搬送範囲は、皮膜、特に付着防止膜をそなえていることが望ましい。付着防止膜は、シリコーンから構成でき、シリコーンを含んでいてもよい。搬送範囲／搬送ベルトの付着防止膜の目的は、搬送範囲に塗布される複合体をより容易に除去可能にすることである。
【００１３】
二次元複合体は、前記複合体の複合体長さが、搬送方向と基本的に平行であり、従って搬送範囲と平行であるように好ましくは塗布される。同時に複合体の複合体幅は、搬送方向に対して垂直又はほぼ垂直である。理想的には、複合体長さ及び複合体幅を組み合わせて、搬送範囲と平行な、又は搬送範囲内の面を画定する。複合体の複合体高さは、搬送範囲に対して基本的に垂直であり、つまり、複合体長さ及び複合体幅に対して基本的に垂直である。
【００１４】
好ましくは、塗布ダイスから放出される共押出材料は、搬送ユニット上、又は搬送方向の搬送範囲上で搬送される基板に垂直な又はほぼ垂直な落下カーテンとして形成される。押出カーテンは、搬送範囲／基板と接触し、搬送方向の搬送範囲／基板の動作は、移動する搬送範囲／基板上に少なくとも膜状の材料の塗布をもたらす。面領域は、他方の上に配置される複合体の層を形成し、つまり、複合体の高さに沿って、互いの上に積層される。代替的に又は追加的に、面領域は、搬送方向に対して並列に、つまり、隣接する面領域として配置できる。押出材料／共押出材料上に、特に落下カーテン上に機械的圧力を及ぼすために、押出材料は、ロールに、又は一対のロールの間の咬合部に供給できる。少なくとも一つのロールは、押出材料の一つがポリエチレン（ＰＥ）を含む場合は特に追加的に冷却してもよい。
【００１５】
塗布される材料又は材料の膜は、各々、作製される及び塗布される複合体を形成するが、搬送ユニット及び／又は搬送範囲は、冷却可能であることが望ましい。搬送ユニットには、この場合、冷却ユニットを割り当て、それによって、共押出材料から構成されている材料の液体（溶融）膜を冷却可能にする。代替的に、共押出材料は、押出カーテンを形成することなく、直接、搬送ユニット／基板に塗布することもできる。
【００１６】
選択的に、冷却ユニットは、例えば電気的に冷却可能な冷却ベルトを含むこともできる。冷却ユニット／ベルトは、搬送範囲及び／又はこの搬送範囲上を搬送される基板を少なくとも部分的に冷却可能にする。通常加熱された又は加熱可能な塗布ユニット／ダイスから排出する液体及び加熱組立体は、冷却ユニットの影響によって搬送ユニット上で冷却し、及び／又は基本的に固体又は少なくともより粘度の高い状態に変化する。一つ以上の塗布押出材料が、例えばホットメルト接着剤である場合、これらは、冷却ユニットによって硬化可能であり、搬送ユニットからより簡単に取り外し、以降の処理を更に実行可能にする。ベルト冷却は、とりわけDE 198 00 683 B4から既知である。
【００１７】
本発明によると、複合体幅及び／又は複合体長さ及び／又は複合体高さは、二次元複合体の塗布及び／又は作製を行うための装置の塗布ユニットの塗布ダイスと共に調整可能である。更に、搬送ユニットの搬送速度を制御してもよく、特にスイッチをオンオフしてもよいので、複合体長さ及び／又は複合体幅及び／又は複合体高さの調整に、搬送ユニットを含めることができる。
【００１８】
複合体の複合体長さを調整するために、例えば、塗布ダイスは、塗布中に短時間だけ停止される。これは、移動する搬送ユニット上及び／又は移動する搬送範囲上で搬送される基板上への複合体の塗布を遮断する。複合体の複合体長さは、一定速度の搬送を維持しながら、遮断又は停止時間を変化させることによって決定できる。二次元複合体の複合体高さは、搬送ユニットの一定の搬送速度を維持しながら、複合体の形成に用いられるダイス内への押出材料の供給速度を上昇又は低下させることによって変更及び調整できる。塗布ダイスを介した押出材料の量的に高いスループットは、複合体の一部により大きな複合体高さをもたらし、つまり、複合体は結果としてより厚くなる。例えば、DE 100 23 895.5から既知であるように、共押出チャネル内に配置される少なくとも一つのスライダを介して、ダイスの出口のダイススロットの排出幅を変更可能にすることによって、複合体の複合体幅の調整に影響を及ぼすことができる。ワイドスロットダイスの別個の領域部が、一つの供給ユニットに各々割り当てられている場合、それらは、供給を遮断することによって接続及び切断可能である。
【００１９】
本発明による装置の特に好ましい実施形態では、複合体の少なくとも一つの面領域（好ましくは各々の及び全ての面領域）の面領域幅、及び／又は面領域長さ及び／又は面領域高さは、塗布ダイスを介して少なくとも部分的に調整可能である。実際には、任意の一つの面領域の面領域幅、面領域高さ及び／又は面領域長さを調整し、他の面領域のいずれの面領域幅、面領域高さ及び面領域長さも影響されないようにする。例えば、複合体の第一面領域を構成する第一押出材料の供給速度を変更し、第一面領域の面領域高さを増大させ、第一面領域を厚くする。第二押出材料の供給は、これには影響されず、第二面領域は、その特性及び寸法を維持する。従って、第一面領域上に塗布される第二面領域の特性、特に長さ、幅及び高さは、全く変更しないままにすることができる。
【００２０】
代替的に、必要に応じて、特に二層の複合体を形成する面領域の両方の特性に対して、二つの面領域の各々が、変更され適切に調整される複合体の層を形成することも可能である。これは、複合体幅、複合体長さ又は複合体高さの一部又は全体にわたって選択的に行うことができる。変更可能性のこの豊富さのおかげで、任意の設計で層又は面領域の構成を作製でき、本発明の装置を改造する必要もなく、又は装置の塗布ユニットのダイスを交換する必要もない。従って、部品の改造又は交換のために、装置を待機させる必要もない。作製される二次元複合体の構成上の及び配置上の要件に依存して、装置の動作設定を変更する必要性だけがある。これらの動作設定は、例えば押出材料の流動性について、ダイスを介して供給される押出材料の量、圧力及び温度、又はダイスの領域、含まれるダイスの領域の制御、並びに速度、及び適用可能であれば搬送ユニットの冷却温度に関係している。
【００２１】
溶融型接着剤、特にホットメルト接着剤は、一つ以上の押出材料に関係していてもよい。溶融型接着剤は、ポリアミド（ＰＡ）、ポリエチレン（ＰＥ）、アモルファス・ポリαオレフィン（ＡＰＡＯ）、エチレン・ビニル・アセテート共重合体（ＥＶＡＣ）、ポリエステル・エラストマ（ＴＰＥ−Ｅ）、ポリウレタン・エラストマ（ＴＰＥ−Ｕ）、コポリアミド・エラストマ（ＴＰＥ−Ａ）、ビニルピロリドンビニル・アセテート共重合体等のベース高分子を含んでいてもよい。その他、溶融型接着剤は、ロジン、テルペン、及び／又は炭化水素系樹脂等の樹脂、及び酸化抑制剤、金属不活性剤及び／又は光保護材等の安定剤、及び選択的に、天然ワックス（蜜ろう）及び／又は合成ワックス（完全に合成の、部分的に合成の、化学的改質されたもの）等のワックスを含んでいてもよい。
【００２２】
具体的な接着剤複合体材料の作製に含まれる装置要件も、請求項６に記載されているように、共押出ダイスを介して本発明によって低減される。従って、提供される共押出ダイスは、第一押出材料から構成されている第一面領域と、少なくとも第二押出材料から構成されている第二面領域を含む複合体材料の共押出材料から構成されている二次元塗布材料の生成及び／又は塗布を行うためのものである。本発明の共押出ダイスは、第一押出材料用の第一入口と、第二押出材料用の第二入口を含んでいる。更に、それは、共押出材料用の、つまり、ダイス内で融合される両方の押出材料の組合せ用の出口を含んでいる。出口は、ダイスの下側に好ましくは配置され、共押出材料が、ダイス内を供給される押出材料の圧力の媒介の下で、適用可能であれば、重力の下で、共押出ダイスから放出されるようにする。代替的に、共押出材料には、ダイスを介した押出材料の供給によって決定可能な放出速度を与えることができる。
【００２３】
ここで、本発明は、共押出ダイスが、一つ以上の入口と流体的に連絡している少なくとも一つの一体型供給ユニットを含んでいることを提供する。供給ユニットは、共押出ダイスを介して出口に少なくとも一つの押出材料を供給できる。少なくとも一つの押出材料の供給体積、供給質量、供給速度及び／又は計測時間は、供給ユニットと共に制御可能である。
【００２４】
出口から放出される塗布材料の幅は、好ましくは変更可能であり、この場合、塗布幅は、出口の幅によって基本的に固定される最大幅以下である。従って、塗布幅は、出口の幅によって基本的に固定される最大幅以下である。
【００２５】
好ましくは、第二入口も、同様に本発明による共押出ダイスの構成要素である少なくとも一つの供給ユニットに流体的に接続されている。共押出ダイスの供給ユニットの各々の及び全てのものが、少なくとも一つのポンプ、及び、例えばバルブ等の少なくとも一つのスイッチ要素を含むことが望ましい。供給ユニットは、ポンプに導くラインに戻り、押出材料を戻すための切り替え可能なラインとしてスイッチ素子によって構成される少なくとも一つの流体帰還ラインを含んでいてもよい。ポンプ速度は、供給速度を制御するために変更可能であり、少なくとも一つのポンプ駆動部を介して制御可能である。ポンプは選択的に、駆動部に割り当ててもよい。複数のポンプは、複数の供給ユニット用であることが望ましく、それらは結合された制御可能な駆動部又は複数の独立して制御可能な駆動部のいずれかに割り当て可能である。
【００２６】
更に、供給ユニットを用いて、共押出ダイスを介して一つ以上の押出材料の供給を遮断することも可能であり、入口に割り当てた供給システム又はライン内の押出材料の流れ／圧力を遮断及び変更する必要はない。
【００２７】
押出材料は、共押出ダイスを介した流れが遮断されても、帰還ラインを介してその流動性を維持する。押出材料の流動性を維持するために、これらは循環形態で、供給ユニット内を更に移動する。押出材料の流動性のこの維持は、切り替えのために入口の上流に配置されているスイッチ素子の結果として実現され、共押出ダイスを介した押出材料の供給の所望の遮断が発生した場合、流れの方向から見たとき、帰還ライン又は帰還チャネル内への入口の上流の押出材料の流れは、供給ユニットのポンプの上流の供給ラインに戻る。押出材料の必要な圧力は、その結果として基本的に維持され、本発明による装置の塗布ユニット内の不要な発泡が避けられる。これは付随的に、例えば、共押出塗布を継続するために、供給ユニットのバルブのスイッチ位置を変更した場合、押出材料の圧力は、塗布装置内で基本的に一定に保持されないので、出口から放出される共押出材料の膜が引きちぎれることがないようにする。例えば、搬送ユニット上への押出材料の塗布の遮断は、それに応じて、スイッチ素子の駆動及びそれに続く塗布／搬送ユニット内の押出材料の循環によって実行できる。例えば、塗布の遮断後の塗布の継続は、スイッチ素子の駆動を再開することによって実行でき、それによって、押出材料はもはや、塗布ユニット内を循環せず、塗布ダイスから出口の方向に再び供給可能になる。
【００２８】
代替的に、塗布ユニット内へ押出材料を供給するために提供され、一つ以上の入口に接続された押出器は、変更済みの全体の供給量にその供給速度を調整でき、特に低減できる。
【００２９】
共押出ダイスによる塗布は、部分的に実行し、搬送範囲及び／又は搬送範囲上に搬送される基板に塗布される材料の一部が、具体的に帯状の遮断を備えるようにできる。帯状の遮断は選択的に、搬送方向に対して基本的に平行であっても、搬送方向に対して基本的に横方向であってもよい。好ましくは、遮断は、搬送方向に対して所定の角度であっても、及び／又は傾斜していてもよい。材料の二次元塗布の遮断が、搬送方向に対して平行である場合、その結果は、搬送範囲に塗布される材料は、帯状又はウェブ状の部分を備え、互いに対して横方向の分離部を備えていても備えていなくてもよい。搬送方向に対して基本的に横方向に材料の塗布を遮断することによって、それらの長さ方向で塗布される材料のウェブ状の部分を制限できる。
【００３０】
遮断は、他の点では、各々の場合、複合体幅及び長さに基づいて、それらの幅及び／又は長さを少なくとも部分的に変更可能である。これは、いくつかの他の部分に対して面領域部分の少なくとも一つのオフセット部を備えている複合体配置をもたらす。オフセット部は、複合体の寸法に基づいて、縦方向又は横方向に配置できる。
【００３１】
好ましくは、本発明の共押出ダイスは、共押出ダイスの筐体内に配置されている共押出チャネルを含んでいてもよい。第一及び第二押出材料用の第一及び第二入口は、共押し出チャネル内に開口している。共押出材料用の出口は、共押し出チャネルに接続されている。共押出チャネルは、ダイススロットの縦寸法に対して基本的に平行に延びている。
【００３２】
共押出ダイスは、好ましくは共押出チャネル内に配置された少なくとも一つのスライダを含み、出口の幅及び／又は複合体の幅及び／又は複合体の少なくとも一部の幅を変更できる。
【００３３】
一体型の共押出チャネルを備えている共押出ダイスの設計は、第二入口を共押出チャネル内に開口し、第一押出材料によって構成される押出面上に、第二押出材料を配置できる。従って、第一押出材料によって構成される押出面に対して、第二押出材料を導くことができる。一例として、押出材料が、具体的には溶融型の、例えば事前に加熱した接着剤である場合、第一押出材料によって構成される押出面上への第二押出材料の直接の配置は、なお未硬化状態にあるだけでなく、押出面を互いに接着させる効果を備えている。供給される際、第一押出材料は、第二押出材料を随伴する。
【００３４】
好ましくは、共押出チャネル内に分割壁を配置し、第一入口と第二入口を互いに分離できる。分割壁は、共押出ダイスのスロット状出口と基本的に平行に延びるように配置できる。分割壁は、第一及び第二入口を介して供給される押出材料が、共押出ダイス内、特に共押出チャネル内を、少なくとも領域的に移動する効果を備え、押出材料が、互いに接触しないようにする。これは、例えば、ダイスの領域内の乱流による押出材料の混合を避けることができる。
【００３５】
共押出ダイスの特に好ましい設計は、共押出チャネル内、又は共押出チャネルの領域内に配置され、より詳細には、ダイスの幅に対して並列に配置されている複数の共押出チャンバを含んでいる。ダイスの幅方向に対して、共押出チャネルは、共押出チャンバによって、例えば、互いに隣接し、互いに分離された複数の体積領域に再分割される。チャンバは、支柱又はチャンバ壁によって互いに分離できる。代替的に又は追加的に、搬送方向に対して互いに共通に対向する共押出チャンバを設けてもよい。共押出チャンバは、具体的には共押出チャネル、又は共押出チャネルに接続された共押出し出口を、複合体の塗布に含まれるワイドスロットダイスの一部の幅を画定するワイドスロットダイスの幅方向の部分に再分割できる。
【００３６】
複数の共押出チャンバを含む共押出ダイスは、共押出ダイスの共押出チャネルの各々の及び全ての共押出チャンバが、第一押出材料用の第一供給ユニット、及び第二押出材料用の第二供給ユニットと流体的に連絡し、全ての供給ユニットが、押出ダイスの構成要素である場合に特に有用である。これらの二つ以上の供給ユニットが各々ポンプに割り当てられているとき、二つ以上のポンプは、選択的に駆動部に割り当てられている多段式ポンプとして構成できる。しかし、ポンプ及びポンプ駆動部は、各々の及び全ての供給ユニットに対して設けてもよい。各々の及び全ての共押出チャンバを介した第一押出材料及び／又は第二押出材料の供給量は制御できる。本発明の共押出ダイスを用いて塗布される材料の構成について、全体の塗布特性は、特定の部分に含まれる共押出チャンバを介して、特定の押出材料の供給量を変更することによって部分的に変化させることができる。本発明の装置を介した供給量の変更は、遅延なく発生し、塗布される部分の間に非常にきれいな区画が実現されるので、供給の部分的変動及び／又は遮断は、非常に高い精度で発生する。
【００３７】
例えば、複合体の複合体幅は、出口の幅に対して、端部側に配置した一つ以上の共押出チャンバに流体的に割り当てられている一つ以上の供給ユニットを接続及び／又は切断することによって変更できる。全ての供給ユニットを接続及び／又は切断することによって、複合体の複合体長さを変更できるようにすることも同様に可能である。例えば、基本的に中央に配置した共押出チャンバの第一及び第二押出材料の供給を交互に停止又は遮断する場合、これは、結果として、塗布範囲上に互いに隣接配置した二つの帯状の部分を備えている材料の塗布をもたらす。別個の共押出チャンバの供給ユニットの適切な接続及び切断は、材料の塗布の複数の規則的又は不規則なパターンを形成するために使用できる。塗布は、特に間欠的であってもよく、つまり、領域的又は部分的な遮断を備えているか、又は押出材料の供給量の一時的遮断があってもよい。領域的な遮断は、例えば、複合体の長さ領域にわたって延びるそれらの遮断に関係し、その幅は、好ましくは複合体幅の全体又はほぼ全体と等しい。
【００３８】
横方向の分布精度、つまり、複合体の複合体幅、又は押出層及び層の一部の層幅が実現される精度は、ダイスの供給ユニットを介して基本的に実現できる。これは、ダイス及び個々のダイス部品の製造に必要な器具を明らかに低減する。特に複合体長さに関する高い縦方向の分布精度は、同様の方法で得られる。
【００３９】
代替的に、一つ以上の可動スライダを共押出ダイス内、特に共押出チャネルの領域内に配置し、例えば、予備調整によって、塗布に含まれる少なくとも一つの出口部分の幅を変更できる。これは、塗布に含まれるダイススロット部、及び／又は塗布される材料の少なくとも一部の幅の連続的な調整可能性／変更可能性を実現する。
【００４０】
共押出チャネルの各々の及び全ての共押出チャンバが、第一及び第二押出材料用の第一及び第二供給ユニットに割り当てられている共押出ダイスの設計は追加的に、塗布される材料の層構成を個々の層に対して変更可能なようにできる。例えば、共押出チャネルの基本的に中心に配置した共押出チャンバを介して第一押出材料の供給量を一時的に低減又は遮断する場合、その結果、塗布される材料の第一層が、塗布される材料の中心の領域に薄い部分／遮断部を備えるようになる。この薄い部分は、例えば、薄い部分の領域で、複合体に所定の破断点又は屈曲点を与えるためであり、接着剤を形成する押出材料の場合、材料の全体の塗布の中心領域で、例のように、接触特性を抑制する。代替的に、供給量／供給速度を変更することだけで、例えば、含まれる一つ以上の共押出チャンバを通過する一方又は両方の共押出材料の、ポンプ速度及びスイッチ素子の動作設定を変更することによって、複数のパターン及び層構成をここで想定することもできる。
【００４１】
本発明の共押出ダイスを介して塗布できる二次元複合体の第一及び第二面領域が各々、塗布範囲と平行な面を画定する面領域幅及び面領域長さを備え、第一及び第二面領域が各々、塗布範囲に対して基本的に垂直に延びている面領域高さを備えている場合、供給ユニットの各々の及び全てのものは、制御ユニットに割り当てられていることが望ましい。その結果、供給ユニットの各々の及び全てのものは、別個に好ましくは相互に独立して制御可能であり、特に開閉ループを制御可能である。従って、材料の塗布に含まれる一つ以上の面領域の面領域幅、面領域長さ及び／又は面領域高さは、特に部分的に／領域的に変更可能である。制御ユニットは代替的に、中央制御ユニットをもたらし、そこでは、全複合体の複合体長さ、複合体幅及び複合体高さ、及び含まれる面領域の各々の及び全てのものの面領域長さ、面領域幅及び面領域高さ（面領域厚さ）についての全てのパラメータを選択可能であり、前記パラメータは塗布中に変更できる。異なる複合体材料の製造、又は空間的に変化する面領域又は層構造を備えている複合体の製造は、共押出ダイスの再設計、改造又は交換を必要としない。これは、二次元多層複合体材料の作製用の装置要件を著しく低減し、同時に、製造される複合体材料の機能的特性の多様性を著しく向上させる。
【００４２】
押出材料を液化するために、本発明の共押出ダイスは、第一入口及び／又は第二入口に割り当て可能な加熱装置を含んでいてもよい。加熱装置は、好ましくは電気的に動作させてもよく、一例として、入口への供給ラインの周りに配置した加熱襟部として構成してもよい。加熱襟部は、供給ユニットの一つ以上のポンプの周りに配置することもできる。押出材料に与えられる加熱電力出力は、押出材料の温度と相関し、共押出ダイスの塗布特性に影響を与える別のパラメータであってもよい。例えば、加熱電力出力を増大させると、所望の押出材料は、共押出ダイスを介して、より低粘度で、従ってより高速で、供給可能になる。
【００４３】
代替的に又は追加的に、共押出ダイスの出口は加熱可能である。共押出ダイスの出口及び／又は共押出チャネルは、加熱可能であることが特に望ましい。
【００４４】
共押出ダイスは、少なくとも一つの圧力センサを含み、少なくとも一つの押出材料の圧力、つまり、進入圧力が正確であることを監視できることが望ましい。代替的に、圧力センサは、少なくとも一つの押出材料に接続し、進入圧力を決定できる。圧力センサは、代替的に、共押出チャンバ及び／又は入口の一つに割り当て、少なくとも一つの押出材料の圧力を監視できる。
【００４５】
複合体材料の機能的特性を損なうことなく、多層二次元複合体材料の製造における装置要件を低減するための手段は、本発明の請求項１８による処理からも抽出可能である。従って、前記処理は、搬送ユニットの可動搬送範囲上又は可動基板上に、二次元多層複合体の塗布及び／又は作製を行うものである。複合体は、第一面領域と少なくとも一つの第二面領域を含む塗布材料からの処理で構成される。好ましくは、複合体は、複合体幅と複合体長さを備え、それらを組み合わせて、塗布範囲に基本的に平行な面を画定する。複合体は、塗布範囲に基本的に垂直な複合体高さを備えている。材料の塗布に含まれる複合体の面領域の各々の及び全てのものは、面領域長さ、面領域幅及び面領域高さによって特徴付けられる。
【００４６】
前記処理は、本発明に従って、複合体が、第一面領域を構成する第一押出材料と、第二面領域を構成する少なくとも一つの第二押出材料から共押出しされ、同時に、好ましくは制御可能な方法で少なくとも部分的に、第一及び／又は第二押出材料の送出量を変更することによって、第一及び／又は第二面領域の面領域幅及び／又は面領域長さ及び／又は面領域高さ、及び／又は複合体の複合体幅、及び／又は複合体長さ及び／又は複合体高さを、共押出し中に変更できる。より詳細には、第一及び／又は第二押出材料の送出質量及び／又は単位時間当たりの送出質量、及び／又は送出体積及び／又は単位時間当たりの送出体積は、好ましくは制御可能な方法で少なくとも部分的に及び／又は少なくとも一時的に変更される。
【００４７】
前記処理は、その処理に含まれる装置部品の改造又は交換の必要性を取り除く。逆に、前記処理は、共押出パラメータの制御を可能にし、前記処理に従って作製される複合体材料が、所望の用途に沿った特性、所望の用途に沿った機能、及び所望の用途に沿った効果を備えるようにできる。塗布される複合体材料の所望の用途に沿った前記特性、機能及び効果は、複合体、塗布される材料の寸法、及び塗布に含まれる面領域の寸法によって基本的に決定される。例えば、比較的薄い複合体の作製に続いて、それと比べて厚い又は少なくともより厚い複合体の作製する場合、これは、共押出しに含まれる処理パラメータ及び設定の制御可能な変更を必要とするだけである。従って、塗布に含まれる装置部品の再設計、又は含まれる部品の交換は不要である。
【００４８】
二次元多層複合体材料の作製の集中的なコスト／不便さを避ける別の手段は、請求項１９に記載の別の処理から抽出可能である。前記処理では、二つの押出材料から構成されている複合体は、共押出チャネルを備えている共押出ダイス内で、第二押出材料が、共押出チャネル内を供給される第一押出材料の押出面に対して供給されるように共押出しされる。第一押出材料の面に対して第二押出材料を供給することによって、第二押出材料は、第一押出材料上に付着するように配置される。これは、第一押出材料から構成されている第一面領域が、第二押出材料から構成されている(複合体の）第二面領域より厚いとき、特に望ましい。第一の（より厚い）ものに対して第二の（より薄い）面領域を導くことによって、第一面領域は、第一面領域の供給速度で第二のものと接触し、二つの面領域が互いに対して、特に付着するように配置される点まで、第二面領域が十分に形成される。
【００４９】
両方の処理は、キャリア媒体なしのオフラインで使用可能な複合体の作製を可能にする。「オフライン」は、この状況では、製造処理以外で更に使用する前に、複合体をまず作製することを意味すると理解され、この別の用途で、キャリア媒体上に複合体を配置することを意図してはいない。
【００５０】
本発明の処理は、面領域の一つの面領域幅及び／又は面領域長さ及び／又は面領域高さを変更し、同時に、少なくとも一つの別の面領域の面領域幅、面領域長さ及び面領域高さを維持するように設計することも望ましい。この処理で生成される複合体材料は、例えば、第二面領域が、複合体を作製するために塗布される材料の四つの寸法にわたって一定のサイズを備え、第一面領域に塗布される第二面領域が、単に部分的に塗布されるか、又は領域的に薄くされるという点で注目すべきである。例えば、含まれる面領域の一方又は両方が、ホットメルト接着剤を含む場合、その結果は、一定に塗布した第一面領域が、全体として弱い密着性を複合体に与え、第二面領域を塗布する領域が、強い密着性を備えるようにできる。
【００５１】
特に、材料の塗布に含まれる押出材料が、ホットメルト接着剤である場合、本発明の処理は、搬送ユニット及び／又は搬送範囲が、少なくとも部分的に冷却されるように好ましくは設計できる。搬送範囲を冷却することで、ホットメルト接着剤は少なくとも部分的に硬化し、おそらく不活性化し、搬送範囲からの複合体の分離を容易にする。
【００５２】
代替的に、搬送ユニット上で搬送される取り外し可能な基板に、共押出材料を塗布することによって、複合体に基板を設けることができる。これは、インラインで、つまり、製造中に、特に付着するように、複合体を基板に結合させ、結果として、基板又はキャリア上への複合体のその後の配置を不要にする。
【００５３】
作製される複合体が、請求項２４に従って設計される場合、多層の、具体的には付着性の複合体材料を作製するための装置要件は、別の方法では低減される。それによると、二次元複合体は、第一面領域と、第一面領域上に配置された少なくとも一つの第二面領域から構成されている。第一面領域は、第一押出材料から構成され、第二面領域は、第二押出材料から構成され、第一及び第二面領域を含む面領域複合体は、本発明の共押出ダイスを用いて好ましくは獲得可能な共押出材料から構成されている。本発明によると、二次元複合体は、例えば、接着層等の機能層から構成されている第二面領域、及び効果層から構成されている第一面領域を含んでいる。本発明による複合体の共押出面領域は、従来の方法より明らかにより低い装置要件で獲得できる。従って、特にそれらの領域的層構造において違いのある異なる複合体材料を形成するために、必要な装置部品の交換又は装置の改良を必要としない。
【００５４】
効果層は、接着性、並びに体積充填、音響的減衰、及び／又は機械的減衰特性を選択的に備えていてもよい。効果層は代替的に、難燃性を備えている難燃層又は遮蔽性を備えている遮蔽層であってもよい。効果層上への機能層又は接着層の配置は、機能層が、効果層より明らかに薄くてもよい二次元複合体をもたらす。
【００５５】
第一及び／又は第二面領域の面領域幅及び／又は面領域長さ及び／又は面領域高さは、複合体の複合体長さ及び／又は複合体幅及び／又は複合体高さにわたって少なくとも部分的に変化するように、代替的に提供してもよい。ここで、第一及び第二面領域は、面領域幅、面領域長さ及び面領域高さによって各々画定されている。
【００５６】
本発明による複合体の第一及び第二面領域は、異なる材料、特に異なる接着剤から構成できる。第一及び第二層は、例えば、ポリウレタン（ＰＵ）、エチレン・ビニル・アセテート（ＥＶＡ）又はＵＶ−アクリレート等を含む再活性化可能なホットメルト接着剤から好ましくは構成してもよい。
【００５７】
好ましくは、効果領域は、機能領域の特性を増大させ、特に、機能領域の接着性は、効果領域によって増大される。前記増大は、同種の機械的又は化学的なものであってもよい。例えば、効果領域は、不均一な表面を平坦にし、機能領域の接着性を改善及び増大させる。
【００５８】
ここで、第一及び第二面領域は、同じ又はほぼ同じ面領域高さを備えていてもよい。代替的に、第一面領域は、第二面領域とは異なる面領域高さを備えることもでき、この場合、第一面領域は、第二面領域より好ましくは厚い。第一面領域のより厚い設計によって、不均一な面内への貫通をよりよくし、本発明による複合体の間の有効接触領域及び接着面を拡大する。これは、接着性を向上させる。
【００５９】
本発明の複合体の更なる処理の観点では、第二面領域、及び第二面領域上に配置される第一面領域は、複合体より選択的に大きい及び／又は厚い（高い）基板上に配置してもよい。
【００６０】
この基板は、有機材料又は無機材料から構成できる。有機材料と無機材料の組合せも考えられる。好ましくは、基板は、例えば、ポリエチレン（ＰＥ）を含むプラスチック又は高分子薄膜から構成される。紙、段ボール、繊維材料又はそれらの組合せを含む基板も考えられる。
【００６１】
第一及び／又は第二面領域は、好ましくは化学的に又は放射線架橋可能、再活性化可能、永続的粘着性及び／又は水溶性のホットメルト接着剤から構成することも望ましい。
【００６２】
本発明による面領域用の代替設計は、基板又はキャリア材料を含み、第一面領域、及び第一面領域上に配置される第二面領域は、それらの上に配置される。基板は、有機材料又は無機材料又はそれらの組合せ、特にプラスチック、高分子薄膜、紙、段ボール部材、繊維材料又はそれらの組合せから構成できる。
【００６３】
複合体は、第一及び第二面領域が、基板と第三面領域の間に配置されることが好ましく、前記第三領域は、第二面領域上に少なくとも部分的に好ましくは配置される。従って、複合体は、四つの層又は単板を含み、その中の第四層、より正確には第三面領域は、例えば、プラスチック又は繊維材料から構成できる。
【００６４】
本発明に従って用いられる上記の部品、本発明に従って用いられ請求される部品、及び実施例で説明され本発明に従って用いられる部品は、それらのサイズ、形状、材料の選択及び技術的概念の点で任意の特別な例外条件に従うことはなく、塗布の分野における通常の選択基準は、留保することのない用途であることが分かる。
【００６５】
本発明の主題の更なる詳細、特徴及び利点は、添付の請求項並びに以降の説明及び関連の図面から明らかになり、その図面は一例として二次元複合体の作製及び／又は塗布を行うための装置、及び二次元複合体を塗布するための共押出ダイス、及び二次元複合体の実施例を示している。請求項又は実施形態の個々の特徴でさえ、他の請求項及び実施形態の他の特徴と組み合わせることができる。
【図面の簡単な説明】
【００６６】
【図１Ａ】二次元複合体３の作製及び／又は塗布を行うための装置の概略側面図。
【図１Ｂ】塗布ユニットの側面図。
【図２】図１による装置の平面図（概略的）。
【図３】複合体３を塗布するための共押出ダイス８の概略図。
【図４】共押出ダイス３の概略断面の詳細図。
【図５】複合体３の斜視図（概略的）。
【図６】複合体３の垂直断面（概略的）。
【図７】複合体３の代替設計の垂直断面図（概略的）。
【図８】基板１３上の複合体３の設計の垂直断面図（概略的）。
【図９】複合体３の概略平面図。
【図１０】複合体３の四単板設計の図（概略的）。
【発明を実施するための形態】
【００６７】
図１Ａは、所定の複合体幅４、所定の複合体高さ５及び／又は所定の複合体長さ６において、少なくとも二つの面領域１、２から構成されている基本的に二次元の複合体３の作製及び／又は塗布を行うための装置の概略図を示している。面領域１、２は各々、複合体３の層１、２を構成している。前記装置は、塗布ダイス８を含む塗布ユニット７を含んでいる。搬送ユニット９は、共押出ダイスとして構成される塗布ダイス８の下側に配置する。搬送ユニット９は、ベルト１０の上側に搬送範囲１１を備えている搬送ベルト１０として構成される。搬送ユニット９のおかげで、搬送範囲１１は、空間的に固定して配置された共押出ダイス８の下で、搬送方向ｙに移動できる。実質的に垂直方向ｚに、共押出ダイス８から出てくる落下カーテン１２は、搬送範囲１１の領域の搬送ユニット９に塗布できる。複合体３は、搬送範囲１１上にあり、搬送ユニット９を用いて搬送方向ｙに搬送可能な基板１３に好ましくは塗布できる。
【００６８】
図１Ａのような搬送ベルト１０は、冷却ユニット２８を含む冷却ベルトとして構成できる。その結果、共押出ダイス８から放出される一般に熱い、粘着性又は溶融型の共押出材料１４は、搬送ユニット９上で冷却され、複合体３を少なくとも部分的に硬化させ、及び／又はその粘度を変化させる。
【００６９】
図１Ａのような装置は、複合体３の層１、２／面領域１、２の少なくとも一方の層幅１５及び／又は層長さ１６及び／又は層高さ７を部分的に調整できる。これは、共押出ダイス８内の共押出パラメータを変更することによって実行される。
【００７０】
ワイドスロット共押出ダイス８を備えている塗布ユニット７の側面図は、図１Ｂから見分けられる。特に、複合体３の少なくとも一つの面領域（１及び／又は２）の面領域幅１５及び面領域長さ１６は、図１Ａと図１Ｂの塗布ユニット７によって特定の要件に従って変更できる。
【００７１】
このために、少なくとも一つの押出材料は、基板１３への複合体３の塗布に含まれるそれらの共押出チャンバ１９（１９Ａ〜１９Ｆ）の（ポンプ）ブロック４０上に配置された複数の供給ユニット／測定ポンプによって供給される。ポンプブロック４０は、一つ以上の駆動部４１によって駆動されるように図１Ｂで示されている。共押出チャンバの上流の循環モジュール４３は、例えば、バルブ等の流体スイッチ素子を介して切り替えられ、押出材料が、塗布ユニット７内及び／又は供給ユニット２２内を循環できるようにする。通常加熱された押出材料の循環は、ライン及びチャネルが目詰まりしないようにし、押出材料が常に供給可能であるようにする。チャネル及びラインは、破線で図１Ｂでは概略的に示されている。
【００７２】
押出材料を循環させるように、共押出チャンバ（１９Ａ〜１９Ｆ）に各々割り当てられている循環モジュール４３の一つを切り替えることは、循環している押出材料が、共押出チャンバ内に供給されないことを意味する。押出材料は、ポンプに運び戻され、循環ユニット７内を循環する。従って、循環している押出材料の塗布は、割り当てられた共押出チャンバの領域では遮断される。その結果、面領域幅１５及び／又は面領域長さ１６の変化させるための塗布遮断は、循環モジュール４３とポンプブロック４０を流体的に協調させることによって、より正確には、特定の要件に従って、個々の又は二つ以上の循環モジュール４３内の流体的スイッチ素子を切り替えることによって実行される。押出材料が循環しないが、塗布ユニット７の出口２４に供給されるように、循環モジュール４３を切り替えると、押出材料の塗布が、循環モジュール４３に流体的に割り当てた共押出チャンバの領域内で発生する。
【００７３】
図２は、所定の複合体幅４、所定の複合体高さ５及び／又は所定の複合体長さ６において、少なくとも二つの面領域１、２から構成されている基本的に二次元の複合体３の作製及び／又は塗布を行うための装置の概略平面図を示している。塗布に用いられる共押出ダイス８が、ワイドスロットダイスとして構成され、そのワイドスロット長さが、最大複合体幅４を実質的に決定することも図２では明らかである。その搬送方向ｙは、搬送ユニット９によって画定され、搬送方向ｙは、複合体長さ６に対して基本的に平行であり、複合体幅４及び／又は複合体高さ５に対して基本的に垂直である。図２の装置は、複合体幅４，複合体長さ６及び／又は複合体高さ５の調整を可能にする。これは、共押出ダイス８が、複数の共押出チャンバ１９Ａ〜１９Ｆを備えている共押出チャネル１８を含むために実現される。共押出チャンバ１９Ａ〜１９Ｆの各々の及び全てのものは、第一層１を構成する第一押出材料２１用の第一入口２０と、第二層２を構成する第二押出材料２１’用の第二入口２０’を備えている。押出チャンバ１９Ａ〜１９Ｆの各々の入口２０、２０’の各々は、供給ユニット２２に流体的に割り当てるように図２では示されている。各々の及び全てのチャンバ１９Ａ〜１９Ｆの各々の及び全ての入口２０、２０’への供給ユニット２２の流体的な割当ては、全体の塗布材料３の層構造パラメータを様々な方法で調整可能にする。例えば、個々の供給ユニット２２を具体的に制御することによって、時間依存的な方法で第一及び／又は選択的に第二押出材料２１、２１’の供給を制御でき、その結果、異なる面領域／面領域パラメータを部分的に備えている塗布材料を生成できる。面領域パラメータは、面領域厚さ（層高さ１７）並びに面領域幅１５及び面領域長さ１６を含んでいる。
【００７４】
図２は、一例として、第一及び第二層１、２を備えている部分３７、及び第一層１だけを備えている部分の複合体幅４及び複合体長さ６に対して、不規則な間隔での形成を含む複合体構造を示している。
【００７５】
図３は、塗布ダイス８の垂直断面における概略図を示している。そこに示されている塗布ダイス８は、例えば、図１Ａ、図１Ｂ又は図２による装置内に提供できる。従って、好ましくは搬送ユニット９の搬送範囲１１上、又は基板１３上の共押出材料１４から構成されている二次元多層材料３の生成及び／又は塗布を行うために役立つ。塗布材料は、第一押出材料２１及び第二押出材料２１’から構成されるように、図３には示されている。第一押出材料２１は、複合体材料３の第一面領域／第一層１を構成し、第二押出材料２１’は、第二面領域／層２を構成する。図３の塗布ダイス８は、第一押出材料２１用の第一入口２０と、第二押出材料２１’用の第二入口２０’を含んでいる。入口２０、２０’の各々は、チャネル又はライン２３と連絡している。約１０〜１００バールの間の押出し圧力は、ライン２３及び／又はダイス８に広がっていてもよい。押出材料２１、２１’の温度は、６０℃より高くてもよい。より詳細には、押出材料２１、２１’は、約１００〜２２０℃の温度を備えていてもよい。押出材料１４用の出口２４は、共押出ダイス８の下側に設けられる。加熱器２５は、出口２４の領域に配置され、出口２４、及び出口２４から放出される共押出し１４を加熱可能にする。図３の共押出しワイドスロットダイス８は、出口２４から放出される材料の塗布幅を変更するために使用できる。塗布幅は、出口２４の幅によって基本的に画定される最大塗布幅以下である。
【００７６】
材料は、図３では部分的に塗布され、塗布材料の一部が、帯状の遮断部２７を備えるようにする。
【００７７】
図３の共押出ダイス８は、押出材料２１、２１’を供給するための複数の供給ユニット２２を含み、前記供給ユニットは、第一入口２０及び第二入口２０’と流体的に各々連絡している。供給ユニット２２は、例えば、ブロック（図３には示されていない）に配置でき、この場合、各々の及び全ての供給ユニットは、（計測）ポンプを含んでいてもよい。（ポンプ）ブロックは、供給ユニット２２の各々の及び全ての計測ポンプを駆動する結合駆動部４１を含んでいてもよい。駆動部は、一つ以上のモータを含んでいてもよい。
【００７８】
第一入口２０と第二入口２０’は、図２に示されているように、複数の共押出チャンバ１９Ａ〜１９Ｆに再分割可能な共押出チャネル１８に開口するように、図３には示されている。
【００７９】
図３は、入口２０、２０’と流体的に連絡している供給ユニット２２の各々が、ポンプ２９、バルブ３０として構成されているスイッチ素子、及びポンプ２９を迂回し、バルブ３０によって切り替え可能な流体帰還ライン３１を含むことを示している。押出材料２１、２１’が、入口２０、２０’内に供給されていない場合、バルブ３０を切り替え、ポンプ２９によって供給される押出材料２１、２１’が、帰還ライン３１を介して、ポンプ２９に接続された供給ライン３２に戻るようにする。これは、それに応じて、押出材料２１、２１’の供給を短絡させ、循環している押出材料の供給速度及び供給圧力が、基本的に一定になるようにする。押出材料の供給を継続させる場合、バルブ３０を切り替え、押出材料２１、２１’が、そこに接続されているライン２３を介して、入口２０、２０’に供給されるようにする。バルブ３０と帰還ライン３１は、循環モジュール（４３）の構成部品であってもよい。各々の及び全ての供給ユニット２２は、別個の循環モジュール４３に割り当てることもできる。循環モジュール４３は、押出材料（２１又は２１’）、又は代替的に押出材料（２１及び２１’）の塗布に対する遮断を実行でき、供給ユニット２２の一つ又は全てのポンプ２９の動作を遮断する必要はない。これは、供給ユニット２２のポンプ２９が、結合駆動部４１によって駆動される場合に特に望ましい。結合駆動部４１は、持続動作中であり、押出材料２１、２１’の塗布の遮断又は（一時的）停止は、一つ以上の循環モジュール４３内の一つ以上のスイッチ素子３０を制御することによって実行され、押出材料２１、２１’（押出材料２１及び／又は２１’）は、塗布ダイス８から出口２４を介しては供給されず、塗布ユニット７内を循環する。貫流と循環の間で押出材料（２１、２１’）を切り替えることによって、例えば、塗布幅、塗布長さ及び／又は別の塗布パラメータを変更できる。
【００８０】
制御ユニット３３は、各々の及び全ての供給ユニット２２を制御可能にするように、図３に従って提供される。それによって、供給ユニット２２は、部分的に切替え及び／又は制御を行い、塗布材料が、必要に応じて、一層又は二層１、２を備えるか、又は層がないようにする。各々の供給ユニット２２は、別個に及び好ましくは相互に独立して制御可能であり、特に開閉ループ制御可能であるので、塗布材料の一つ以上の層１、２の層幅１５、層長さ１６及び／又は層高さ１７は、変更可能である。
【００８１】
押出材料２１、２１’の流動様式を安定化させるために、各々の入口２０、２０’、又は代替的に、入口（２０又は２０’）の一つだけを、好ましい電気加熱装置３４に割り当てることができる。
【００８２】
図３のような共押出ダイス８の代替設計の詳細図は、図４に見ることができる。共押出ダイス８は、第一及び第二入口２０、２０’が開口し、共押出ダイス８の出口２４が接続されている共押出チャネル１８を含むようにそこでは示されている。
【００８３】
図４によると、第二入口２０’は、共押出チャネル１８内に開口し、第二押出材料２１’が、第一押出材料２１によって形成される押出面３５に配置可能にする。従って、第一押出材料２１の、共押出チャネル１８に形成される押出面３５に対して、第二押出材料２１’を駆動できる。これは、第一押出材料２１によって形成される層１が、第二押出材料２１’によって形成される層２より明らかに厚い場合に特に有利である。第一押出材料２１によって形成されるより厚い第一層１が、供給速度で共押出チャネル１８を介して供給され、第二押出材料２１’から構成されているより薄い第二層２が、第一層１に対して駆動される結果として、第二層２は、第一層１に対して付着し、第二層２に、第一層１の供給速度が与えられるようにする。
【００８４】
図４は、共押出ダイス８の共押出チャネル１８内に少なくとも部分的に延びている分割壁３６を明示している。分割壁３６は、隣接する入口２０、２０’の領域内での押出材料２１、２１’の早期の混合を避けるので、押出材料２１、２１’の流動性を増大できる。
【００８５】
図５は、図１Ａ及び図２のような装置、又はより正確には、図３及び図４のような共押出ダイス８を用いて得られる二次元複合体３を示している。図５から分かるように、複合体３は、第一面領域１と、第一面領域１上に配置された第二面領域２から構成され、第一面領域１は、第一押出材料２１から構成され、第二面領域２は、第二押出材料２１’から構成されている。二つの面領域１、２は、層型の配置である。第二層２は機能層であり、第一層１は、機能層の効果を増大させる効果層である。機能層は、接着層であってもよい。この接着層は、永続的接着剤であってもよく、例えば、水等の溶媒、加熱ロール、又は赤外線放射器（ＩＲ放射器）を用いてある程度再活性化させた後だけ接着性を備えていてもよい。
【００８６】
効果層１は、接着性を選択的に備えていてもよい。効果層１は、体積充填又は音響的及び／又は機械的減衰特性を追加的に備えていてもよい。効果層１は、難燃性又は遮蔽性を備えていてもよい。効果層１が接着性を備えている場合、それは、接着／機能層２の接着性を増大できる。より詳細には、接着材料であるが第一層１でもある層に対する第二層２の接着性、及び／又は基板１３又は任意の所望の面に対する第一層１の接着性を、結果として増大できる。
【００８７】
図６は、図５の複合体を介した垂直断面を示している。図６で分かるように、接着層を構成する第二層１は、効果層又は充填層を構成する第一層１より薄い。つまり、第二層２の層高さ１７’は、第一層１の層高さ１７より低い。例えば、第二層２は、約１〜１０μｍの範囲、好ましくは約３μｍの層高さ１７’を備えることができる。第一層１は、例えば、約５μｍ〜５ｍｍの範囲、好ましくは約１５μｍの層高さ１７を備えることができる。両方の層１、２は、ホットメルト接着剤から構成でき、この場合、より薄い第二層２は、高価な接着剤から構成され、第一層１は、安価な接着剤から構成され、第一層１の接着性は、より薄い第二層２より低い。より厚い第一層１は、効果層１として機能し、より厚い第一層１の体積が、表面不均一部３８を埋め込むので、接着面上の不均一部３８を滑らかにすることに役立つことができる。より厚い第一（効果）層１のこの充填機能は、接着面上へのよりよい、つまり、より効果的な接着性を備えているより高価で薄い第二層２に寄与する。
【００８８】
図６のように示されている機能層は、例えば、ＥＶＡから構成でき、その下に配置されている効果層は、ＵＶアクリレートから構成できる。冷却又は硬化を伴っても伴わなくてもよい押出材料の共押出し及び塗布について本発明が提供する方法は、これらの材料の複合体を作製するための直接的な方法である。
【００８９】
図７は、異なる材料から構成されている一連の層が存在する複合体３を示している。より詳細には、図７の異なる層１、２は、異なる接着剤から構成されている。上側のより薄い接着層２は、層高さ１７の部分的低減によって目印をつけられている弱化部２７を備えている。接着剤は、弱化部においてより効果が低く、つまり、複合体のそこでの接着性は低い。
【００９０】
基板１３上に配置された複合体３は、図８に示されている。第二層２は、第一層１上に配置され、第一層１は、基板１３上に直接配置されている。基板１３は、例えば薄膜又は紙、例えばシリコーン紙から構成できる。
【００９１】
図９は、複合体３の概略平面図を示している。第一面領域１は、複合体３の長さ６及び幅４全体にわたって延びていることが分かる。第二面領域２は、第一面領域１上に部分的に配置し、帯状の遮断部２６が、縦方向ｙ及び横方向ｘの両方で、第二面領域２の部分３７の間で、各々の場合に配置されるようにする。遮断部２６がある場合、複合体は、第一面領域１上に配置された第二面領域２の部分３７の接着性に対して、接着性を備えていないか、接着性はより低い。
【００９２】
図１０は、四単板複合体３の垂直方向（つまり、ｚ方向）の概略断面を示している。効果層１（第一面領域）と機能層２（第二面領域）は、例えば、高分子薄膜から構成されている基板１３に塗布し、効果層１が、基板１３上に配置され、機能層２が、効果層１上に配置されるようにする。効果層１は、例えば、基板１３にしっかりと接着する無機接着剤を含んでいてもよい。第三面領域３９を機能層２上に接着配置可能にするために、機能層２は、有機接着剤を含むことができ、この場合、第三面領域３９は、特に層型の形態の繊維材料で構成できる。その結果、第一及び第二面領域１、２が、基板１３と第三面領域３９の間に配置されている構成となる。
【００９３】
図１０のような複合体の構成は、例えば、（ガラス繊維の）壁紙に対して有用である。前記複合体は、基板１３を搬送方向ｙに搬送され、同時に、上記の共押出し処理によって基板１３に面領域１と２を塗布することによって形成できる。その間ずっと、第三面領域は、例えば、搬送方向ｙに対して、共押出材料が塗布される点の下流の点において、ロール又は代替的な供給ユニットを介して、基板１３に塗布される。それによって、四単板１３、１、２及び３９は、特に、第三面領域３９が、インラインで、つまり、単板１３、１及び２の製作中に塗布されるので、一つの動作中に互いの上に塗布できる。
【符号の説明】
【００９４】
１    第一面領域
２    第二面領域
３    複合体
４    複合体幅
５    複合体高さ
６    複合体長さ
７    塗布ユニット
８    塗布ダイス、共押出しワイドスロットダイス
９    搬送ユニット
１０    搬送ベルト
１１    搬送範囲
１２    押出しカーテン
１３    基板
１４    共押出材料
１５    面領域幅
１６    面領域長さ
１７、１７’    面領域高さ
１８    共押出チャネル
１９Ａ…１９Ｆ    共押出チャンバ
１９Ａ’…１９Ｆ’    共押出チャンバ
２０    第一入口
２０’    第二入口
２１    第一押出材料
２１’    第二押出材料
２２    供給ユニット
２２’    供給ユニット
２３    ライン
２４    出口
２５    加熱器
２６    遮断部
２７    弱化部
２８    冷却ユニット
２９    ポンプ
３０    スイッチ素子
３０Ａ    バルブ
３０Ｂ    帰還ライン
３２    供給ライン
３３    制御ユニット
３４    加熱装置
３５    押出面
３６    分割壁
３７    部分
３８    不均一部
３９    第三面領域
４０    ポンプブロック
４１    駆動部
４３    循環モジュール
ｘ    横方向
ｙ    搬送方向、縦方向
ｚ    垂直方向
【図１Ａ】
2014510655.tif 000003
【図１Ｂ】
2014510655.tif 000004
【図２】
2014510655.tif 000005
【図３】
2014510655.tif 000006
【図４】
2014510655.tif 000007
【図５】
2014510655.tif 000008
【図６】
2014510655.tif 000009
【図７】
2014510655.tif 000010
【図８】
2014510655.tif 000011
【図９】
2014510655.tif 000012
【図１０】
2014510655.tif 000013
【国際調査報告】
2014510655.tif 000014
2014510655.tif 000015
2014510655.tif 000016
2014510655.tif 000017
2014510655.tif 000018
2014510655.tif 000019
2014510655.tif 000020
2014510655.tif 000021
2014510655.tif 000022
2014510655.tif 000023